(57)【要約】【課題】配光の制御が可能、かつ照射範囲の変更が容易な照明器具を提供する。【解決手段】照明器具１Ａ〜１Ｄは、互いに連結可能な筐体５と、筐体に配列された複数のＬＥＤ３と、複数のＬＥＤ３それぞれの光を照明器具１Ａ〜１Ｄの設置面に対して傾斜角を有する方向に配光する台座４１と、複数のＬＥＤ３の点灯を制御する制御部と、を備える。複数のＬＥＤ３は、傾斜角の傾斜方向から順に配列した、少なくとも２以上のＬＥＤ３のグループを構成し、制御部はＬＥＤ３のグループそれぞれを独立して点灯制御する。【選択図】図１
2015060639.tif 000002
【特許請求の範囲】
【請求項１】
互いに連結した状態で設置面に設置可能な照明器具であって、
互いに連結可能な筐体と、
前記筐体に配列された複数の発光素子と、
前記複数の発光素子それぞれの光を、前記設置面に対して傾斜角を有する方向に配光する配光部と、
前記複数の発光素子の点灯を制御する制御部と、
を備え、
前記複数の発光素子は、前記傾斜角の傾斜方向から順に配列した、少なくとも２以上の発光素子群を構成し、
前記制御部は、前記発光素子群それぞれを独立して点灯制御することを特徴とする照明器具。
【請求項２】
前記配光部は、前記複数の発光素子が実装された配線基板を所定の方向に傾斜させて支持する支持部材であることを特徴とする請求項１に記載の照明器具。
【請求項３】
前記配光部は、前記複数の発光素子それぞれの周囲を囲む板状部材であることを特徴とする請求項１または２に記載の照明器具。
【請求項４】
前記筐体は、前記複数の発光素子を正面側に設け、正面略多角形状に形成されたことを特徴とする請求項１ないし３のいずれか１項に記載の照明器具。
【請求項５】
前記複数の発光素子は、格子状に配列されることを特徴とする請求項１ないし４のいずれか１項に記載の照明器具。
【請求項６】
前記照明器具が設置された室内の照度情報が入力される入力部を備え、
前記制御部は、前記入力部に入力された照度情報に基づいて、前記発光素子群を調光することを特徴とする請求項１ないし５のいずれか１項に記載の照明器具。
【請求項７】
請求項１ないし６のいずれか１項に記載の照明器具を２以上含み、
前記筐体は、互いに連結したことを特徴とする照明装置。
【請求項８】
前記筐体は、前記傾斜角の傾斜方向と反対の方向に隣接するように互いに連結し、
前記制御部は、前記発光素子群のうち、前記筐体が隣接する側に配列した発光素子群を点灯させ、その他の発光素子群を消灯させることを特徴とする請求項７に記載の照明装置。  
【発明の詳細な説明】
【技術分野】
【０００１】
本発明は、照明器具および照明装置に関する。
【背景技術】
【０００２】
照明器具には、工場室内で使用されるものがある。このような照明器具は、建物を設計する段階でその配置が決められるものが多い。照明器具は、一度天井等に配設されると、室内工事で移動されない限り、同じ位置に配設されたままである。建物が建築された後、室内のレイアウトが変更されても、照明器具の位置は変更されないことが多い。
【０００３】
例えば、製造設備のレイアウトが変更されたり、作業者の作業場所が変更されたりしても、多くの場合、工場の天井に設置された照明器具（例えば、高輝度出力ランプ）の配設位置は変更されない。
【０００４】
このため、製造設備や作業場所が照明器具から遠い場所にレイアウト変更された場合、作業場所等の明るさを維持するために、その場所から遠くにある照明器具も点灯させる必要がある。
【０００５】
このような建築物の室内レイアウトの変更に対して、照明器具の点灯状態をその位置に応じて調整する照明器具が開発されている。例えば、特許文献１には、事務所や店舗等の室内空間を照明する照明装置について、４等分された領域それぞれに光源が設けられた照明器具が開示されている。この照明器具は、天井等に所定の間隔で複数配設され、室内の特定の場所が所定の照度となるように、その場所を取り囲む各照明装置の各領域の光源が連動して点灯する。
【０００６】
特許文献２には、３つのライン状の照明灯が連なって配置された照明器具が開示されている。この照明器具は、各照明灯が６つの領域に分割され、各領域が独立して点灯、消灯することが可能である。これにより、例えば、室内の人がいるところだけ明るくする照明が可能である。
【先行技術文献】
【特許文献】
【０００７】
【特許文献１】特開２０１０−２５７８７２号公報
【特許文献２】特開２０１１−３４７９号公報
【発明の概要】
【発明が解決しようとする課題】
【０００８】
特許文献１、２に開示された照明器具では、互いに隣接する複数の領域に分割され、それぞれの領域に光源が配置された照明部を備え、照明部毎に一律に調光することが可能である。しかし、複数の領域に分割された照明部で構成されているため、一度設計すると、照明部の変更は容易ではない。室内のレイアウト変更で部屋の形状が実質的に変更された場合や複雑な形状の部屋の場合、その形状に柔軟に対応することが難しい。
【０００９】
また、上記の特許文献１、２に記載の照明器具では、照明部を一律に調光しても、照明部の配光特性はほとんど変化しないため、調光部が照明する室内のうちで、ほぼ同じ場所だけが他の場所よりも相対的に明るいという状態が生じる。相対的に暗い場所に作業者がいる場合、その場所にいる作業者のために室内全体の照度を上げる必要がある。
【００１０】
本発明は、上記事情に鑑みてなされたものであり、配光の制御が可能、かつ照射範囲の変更が容易な照明器具を提供することを目的とする。
【課題を解決するための手段】
【００１１】
本発明の第１の観点に係る照明器具は、
互いに連結した状態で設置面に設置可能な照明器具であって、
互いに連結可能な筐体と、
前記筐体に配列された複数の発光素子と、
前記複数の発光素子それぞれの光を、前記設置面に対して傾斜角を有する方向に配光する配光部と、
前記複数の発光素子の点灯を制御する制御部と、
を備え、
前記複数の発光素子は、前記傾斜角の傾斜方向から順に配列した、少なくとも２以上の発光素子群を構成し、
前記制御部は、前記発光素子群それぞれを独立して点灯制御することを特徴とする。
【００１２】
本発明の第２の観点に係る照明装置は、
前記第１の観点に係る照明器具を２以上含み、
前記筐体は、互いに連結したことを特徴とする。
【発明の効果】
【００１３】
本発明によれば、配光の制御が可能、かつ照射範囲の変更が容易な照明器具を提供することができる。
【図面の簡単な説明】
【００１４】
【図１】実施の形態１に係る照明器具を示す概念図である。
【図２】照明器具のＬＥＤのグループ構成を示す平面図である。
【図３】照明器具の回路構成を示すブロック図である。
【図４】従来の照明器具と照度分布との関係を示す概念図である。
【図５】実施の形態１に係る照明器具と照度分布との関係を示す概念図である。
【図６】調光状態における照明器具の照度分布を示す概念図である。
【図７】実施の形態２に係る照明器具のＬＥＤのグループ構成を示す平面図である。
【図８】照明器具１つで構成される照明装置を示す概念図である。
【図９】照明器具２つで構成される照明装置を示す概念図である。
【図１０】変形例に係る照明器具を示す断面図である。
【発明を実施するための形態】
【００１５】
以下、本発明を実施するための形態について図面を参照して詳細に説明する。なお図中、同一または同等の部分には同一の符号を付す。
【００１６】
（実施の形態１）
図１は実施の形態１に係る照明器具を示す概念図である。（Ａ）は照明器具の平面図、（Ｂ）は（Ａ）に示す照明器具のＡ−Ａ線の断面図である。本実施の形態に係る照明器具１Ａ〜１Ｄは、工場等の室内照明として使用される高輝度出力の照明器具である。本実施の形態では、４つの照明器具１Ａ〜１Ｄが隣接して配置され、照明器具１Ａ〜１Ｄ全体として正面四角形状の１つの照明装置２Ａとして機能する形態を説明する。照明器具１Ａ〜１Ｄは、図１に示すように、筐体５と、ルーバー４と、ＬＥＤ（Light Emitting Diode）３、配線基板３３と、台座４１と、を備えている。
【００１７】
筐体５は、ＬＥＤ３や後述する電源回路等を収納する部材である。筐体５は、正面正方形の直方体状に形成されている。筐体５の側面には、他の照明器具１Ａ〜１Ｄの筐体５と連結するための連結部（ネジ穴等）が設けられている。筐体５は、隣接する他の照明器具１Ａ〜１Ｄと側面を面接触させた状態で、連結具（ネジ等）によって他の照明器具１Ａ〜１Ｄと連結されている。筐体５の背面には、照明器具１Ａ〜１Ｄを天井等の設置面に固定するための固定部材が設けられ、筐体５の背面は設置面にほぼ平行に固定される。筐体５の正面には、平面正方形状の開口が設けられ、その開口にルーバー４が配設されている。
【００１８】
ルーバー４は、ＬＥＤ３からの光を所定の方向に出射させるための配光部材である。ルーバー４は、板状部材から構成される。ルーバー４は、後述する台座４１に対して略垂直方向に配列している。ルーバー４は、ＬＥＤ３とＬＥＤ３の間を遮るように、各ＬＥＤ３の周辺を囲んでいる。ＬＥＤ３からの光は、ルーバー４間から筐体５の開口側に出射し、またはルーバー４に反射されて筐体５の開口側に出射する。
【００１９】
ＬＥＤ３は、筐体５の開口内にマトリックス状に配列し、開口内でほぼ均一に分布している。マトリックスの各位置にあるＬＥＤ３は、赤色、青色、緑色の各色のＬＥＤの一組、または白色ＬＥＤである。ＬＥＤ３は、各ルーバー４に１つまたは１組配置されている。
【００２０】
配線基板３３は、ＬＥＤ３が実装される基板である。配線基板３３の実装面は台座４１によって筐体５の底面に対して傾斜角を有するように配置されている。
【００２１】
台座４１は、配線基板３３の実装面およびルーバー４を照明器具１Ａ〜１Ｄの設置面に対して傾斜させて、ＬＥＤ３からの光を所定の方向に出射させる配光部材である。台座４１の断面は、例えば、台形を横にしたような形状であり、台座４１の上面が下面に対して傾斜面を有して配線基板３３およびルーバー４を支持している。配線基板３３の下面は筐体５に固定される。ＬＥＤ３が発する光は、筐体５に対して所定の傾斜角を有する方向に配光される（図１（Ｂ）の出射光３５参照）。
【００２２】
台座４１の上面は、正面正方形状の筐体５の対角線方向に向かって傾いている。この傾きは、照明器具１Ａ〜１Ｄそれぞれで異なり、各照明器具１Ａ〜１Ｄそれぞれにおいて、照明装置２Ａ全体の中央に対して対称になるように配置されている（図１（Ａ）の矢印４５参照）。照明器具１Ａ〜１ＤのＬＥＤ３からの出射光は、照明装置２Ａ全体の中央から４つの方向に配光される。
【００２３】
ＬＥＤ３は、配列する位置に応じたグループにわかれてＬＥＤ群を形成し、後述するＬＥＤ制御電源７によって点灯制御される。以下に、ＬＥＤ３のグループについて説明する。
【００２４】
図２は照明器具のＬＥＤのグループ構成を示す平面図である。図２では斜線の有無によってＬＥＤ３のグループを分類している。図２に示すように、照明器具１Ａ〜１Ｄそれぞれにおいて、ＬＥＤ３は、破線で示す領域３０に囲まれ、かつ照明器具１Ａ〜１Ｄの中央側に配設されているＬＥＤ３のグループと、領域３０よりも外側に配置されたＬＥＤ３のグループとに分けられている。領域３０は、各照明器具１Ａ〜１Ｄが互いに接する頂点を結んだ線に囲まれる領域であり、各照明器具１Ａ〜１Ｄが互いに隣接する領域である。ＬＥＤ３は、上記のグループ毎に点灯制御される。以下に、ＬＥＤ３の点灯制御について説明する。
【００２５】
図３は照明器具の回路構成を示すブロック図である。図３に示すように、照明器具１Ａ〜１Ｄは、ＬＥＤ制御電源７をそれぞれ備えている。また、照明器具１Ｂは、制御部８、通信部９を備えている。制御部８、通信部９は、照明装置２Ａ全体で一つずつ備えられている。
【００２６】
通信部９は、リモートコントローラ１１や照度計１０と情報の送受信を行う。例えば、通信部９は、リモートコントローラ１１からの点灯指示情報、照度計１０からの照度情報を受信し、照明器具１Ａ〜１Ｄの点灯状態（例えば、各照明器具１Ａ〜１Ｄの点灯、消灯、調光量）をリモートコントローラ１１に送信する。点灯指示情報は、例えば、各照明器具１Ａ〜１Ｄ、ＬＥＤ３の各グループまたは照明装置２Ａ全体の点灯、消灯、調光の指示等の情報であり、照明装置２Ａのユーザーが入力する情報である。照度情報は、例えば、照度とその照度が測定された室内の測定位置等から構成される情報であり、照度計１０が送信するデータである。
【００２７】
制御部８は、通信部９から送信された点灯指示情報または照度情報に基づいて、照明器具１Ａ〜１ＤのＬＥＤ制御電源７に点灯、消灯または調光を指示する。制御部８は照明装置２Ａ全体の点灯を制御する。例えば、制御部８は、受信した照度情報から、照度が所定の範囲内であるかを判定する。照度が所定の照度範囲外にある場合、制御部８は、照度情報に基づいて照明器具１Ａ〜１ＤにおけるＬＥＤ３の調光量を演算する。演算された調光量は、ＬＥＤ制御電源７に出力される。
【００２８】
ＬＥＤ制御電源７は、電源回路（図示しない）を介してＬＥＤ３のグループの点灯を制御する。例えば、ＬＥＤ制御電源７は、電源回路に接続された可変抵抗の抵抗値を変化させて、電源回路の電圧を変化させる。これにより、ＬＥＤ制御電源７はＬＥＤ３のグループを調光する。ＬＥＤ制御電源７は、電源回路の電圧を変化させるほか、パルス幅変調（PWM：Pulse Width Modulation）を行い、ＬＥＤ３のグループを調光することも可能である。
【００２９】
ＬＥＤ制御電源７は、電源回路とＬＥＤ３のグループとの間に接続されたスイッチング素子をＯＮ、ＯＦＦすることにより、ＬＥＤ３のグループを点灯、消灯する。スイッチング素子は、ＬＥＤ３のグループ毎に配置され、ＬＥＤ制御電源７は、ＬＥＤ３の点灯をグループ毎に制御する。
【００３０】
ＬＥＤ制御電源７では、電源回路が交流電圧の外部電源に接続され、その交流電圧を降圧し、所定の直流電圧に変換する。変換された直流電圧は、ＬＥＤ３に供給され、これによりＬＥＤ３が点灯する。以下に、照明器具１Ａ〜１Ｄの点灯状態について説明する。
【００３１】
図４は、従来の照明器具と照度分布との関係を示す概念図である。図５は、実施の形態１に係る照明器具と照度分布との関係を示す概念図である。図４および５は、一辺１０ｍの正方形状の床面２００を有する部屋で、天井中央に配置された照明器具を点灯した場合の、照度分布１００を示している。図４では、従来の照明器具としてＨＩＤ（high intensity discharge）ランプ５０を使用し、図５では、照明器具１Ａ〜１Ｄで構成される照明装置２Ａを使用している。図５（Ａ）は照明器具１Ａ〜１Ｄを点灯させた状態、図５（Ｂ）は照明器具１Ａ〜１Ｄのうち、照明器具１Ｃを調光した状態、をそれぞれ示している。
【００３２】
図４を参照すると、従来のＨＩＤランプ５０の照明器具では、ランプ直下の照度が高く、周辺に向かって徐々に照度が低くなっていくことがわかる。図５（Ａ）を参照すると、照明器具１Ａ〜１ＤのＬＥＤ３が照射する範囲全体で照度が高く、照明器具１Ａ〜１Ｄを１つの照明装置２Ａとしてとらえると、全体ではＨＩＤランプ５０よりも照度が均一になっていることがわかる。図４（Ｂ）を参照すると、３つの照明器具１Ａ、１Ｂ、１ＤのＬＥＤ３が照射する範囲で十分な明るさの照度が維持され、調光された照明器具１ＣのＬＥＤ３が照射する範囲で、照度が低くなっていることがわかる。
【００３３】
以上のように、本実施の形態に係る照明器具１Ａ〜１Ｄは、ＬＥＤ３がマトリックス状に配列し、筐体５の開口内でほぼ均一に分布しているので、従来のＨＩＤランプ５０と比較して、照度をより均一化することが可能である。また、照明器具１Ａ〜１Ｄは、全体で１つの照明装置２Ａを構成し、照明器具１Ａ〜１Ｄには、それぞれを点灯させて制御するＬＥＤ制御電源７を備えている。照明器具１Ａ〜１Ｄは、必要な照明器具１Ａ〜１Ｄだけを点灯させて室内の明るさを維持することが可能である。また、室内で照度が低くてもよい箇所がある場合は、その箇所を照射する照明器具１Ａ〜１ＤのＬＥＤ３を調光することによってその照度を低くすることが可能である。
【００３４】
照明器具１Ａ〜１Ｄは、制御部８、通信部９を除いて同じ構造で構成され、互いに連結可能であるので、照明器具１Ａ〜１Ｄを組み合わせることにより、全体で１つの照明装置２Ａを構成して、その照明範囲を拡大することが可能である。例えば、本実施の形態で説明したように、照明器具１Ａ〜１Ｄの筐体５は、正面正方形に形成されているので、これらの筐体５の側面を互いに隣接させて配置し、４つの照明器具１Ａ〜１Ｄを用いて、正面正方形状に形成された１つの照明装置２Ａとすることが可能である。
【００３５】
照明器具１Ａ〜１Ｄは、配光部材である台座４１およびルーバー４によって、ＬＥＤ３が発する光を、筐体５に対して所定の傾斜角を有する方向に配光している。本実施の形態によれば、照明器具１Ａ〜１Ｄの向きの組み合わせを変化させることによって、照明装置２Ａの配光特性を変化させることが可能である。
【００３６】
照明器具１Ａ〜１Ｄでは、一つの照明器具１Ｂが制御部８、通信部９を備え、これらが他の照明器具１Ａ、１Ｃ、１Ｄと共用されて照明装置２Ａ全体の点灯を制御する。さらに、照明器具１Ａ〜１Ｄでは、制御部８、通信部９以外の構成が同じ構造で構成される。構造が同じ照明器具１Ａ〜１Ｄを組み合わせることによって、上記のように、様々な配光特性を有する照明装置２Ａが製造可能である。照明器具１Ａ〜１Ｄによれば、低コストかつ室内空間に応じて柔軟に配置可能な照明装置２Ａを提供することが可能である。
【００３７】
照明器具１Ａ〜１Ｄは、ＬＥＤ３を備えているので、従来のＨＩＤランプ５０の照明器具と比較して、調光可能な明るさの範囲が大きく、エネルギー消費も小さい。また点灯時間も速い。
【００３８】
照明器具１Ａ〜１Ｄは、ＬＥＤ３をグループ毎に点灯、調光することも可能である。以下に、図２で説明したＬＥＤ３のグループで点灯、調光した場合の点灯状態について説明する。
【００３９】
図６は、調光状態における照明器具の照度分布を示す概念図である。図６も、一辺１０ｍの正方形状の床面２００を有する部屋で、天井中央に配置された照明器具を点灯した場合の、照度分布１００を示している。（Ａ）は、ＬＥＤ３を最も強く発光させた状態から照度が小さくなるように、照明装置２Ａ全体を均一に調光した状態での照度分布、（Ｂ）は、図２における領域３０に囲まれたＬＥＤ３のグループを点灯かつ調光させ、領域３０より外側に配置されたＬＥＤ３のグループを消灯した状態での照度分布、をそれぞれ示している。
【００４０】
照明器具１Ａ〜１ＤのＬＥＤ３を調光して、最も強く発光させた状態から照度を小さくすると、図６（Ａ）に示すように、照明器具１Ａ〜１Ｄの直下からやや離れた位置で照度が高く、照明器具１Ａ〜１Ｄ直下で照度が小さくなる場合がある。この場合、一つの照明器具１Ａ〜１ＤのＬＥＤ３が照射する範囲と他の照明器具１Ａ〜１ＤのＬＥＤ３が照射する範囲との境界近傍でも、範囲内の他の部分と比較して照度が小さい（図６（Ａ）に示す領域１０１）。これに対して、図２における領域３０に囲まれたＬＥＤ３のグループのみを点灯かつ調光すると、図６（Ｂ）に示すように、照明器具１Ａ〜１Ｄ直下での照度が高くなっていることがわかる。図６（Ａ）と比較すると、照明器具１Ａ〜１Ｄの直下から離れた位置にあった照度の高い部分が照明器具１Ａ〜１Ｄの直下に移動し、配光特性が変化していることがわかる。これに伴い、照明器具１Ａ〜１Ｄ間の境界近傍に発生していた照度が小さい部分（領域１０１）が消滅して、照度がより均一になっていることがわかる。
【００４１】
以上のように、照明器具１Ａ〜１Ｄそれぞれにおいて、照明器具１Ａ〜１Ｄの中央側に配置されているＬＥＤ３のグループと、その他のＬＥＤ３のグループとを別々に点灯制御することにより、ＬＥＤ３全体を一律に調光した場合と比較して、照明器具１Ａ〜１Ｄ直下の照度をより高くすることが可能である。
【００４２】
領域３０に囲まれたＬＥＤ３のグループを点灯かつ調光させ（図２参照）、領域３０より外側に配置されたＬＥＤ３のグループを消灯させると、照明器具１Ａ〜１ＤのＬＥＤ３のうち、点灯しているＬＥＤ３が一部の領域に偏った状態になる。これにより、照明装置２Ａ全体のＬＥＤ３が一律に点灯している場合と比較して、最も明るく照射される範囲も一部に偏ることになる。照明器具１Ａ〜１Ｄ内で点灯させるＬＥＤ３を一部に偏らせることにより、照明器具１Ａ〜１Ｄの照射範囲を変化させることが可能である。照明器具１Ａ〜１ＤそれぞれでＬＥＤ３のグループ毎に独立して点灯制御することによって、照明装置２Ａ全体で、配光特性を変化させることが可能である。
【００４３】
（実施の形態２）
実施の形態２に係る照明器具１Ａ〜１Ｄは、ＬＥＤ３のグループがさらに細分化された照明器具である。
【００４４】
図７は、実施の形態２に係る照明器具のＬＥＤのグループ構成を示す平面図である。図７に示す照明器具１Ａ〜１Ｄは、それぞれ点灯を制御可能であるとともに、破線で示す領域３１の範囲内にあるＬＥＤ３のグループと、領域３１の範囲よりも外側、かつ破線で示す領域３２の範囲内に配置されたＬＥＤ３のグループと、領域３２の範囲よりも外側に配置されたＬＥＤ３のグループとにわけられて、ＬＥＤ３の点灯の制御が可能である。
【００４５】
照明器具１Ａ〜１Ｄは、実施の形態１の場合と同様に、ＬＥＤ３の配線基板３３およびルーバー４を支持する台座４１を備え、台座４１の上面は、筐体５の対角線方向に向かって傾斜している。照明装置２Ｂ全体では、この台座４１の配置によって、筐体５の対角線方向に傾斜した配光特性を有している。
【００４６】
以上のように、照明器具１Ａ〜１Ｄそれぞれは、３つのＬＥＤ３のグループを有し、このＬＥＤ３のグループ毎に独立して点灯制御することが可能である。また、照明器具１Ａ〜１Ｄそれぞれは、台座４１の上面の傾斜方向が互いに異なっている。本実施の形態によれば、実施の形態１の場合と比較して、配光特性をより細かく調整することが可能である。例えば、領域３１内または領域３２内のＬＥＤ３のグループを点灯かつ調光させて、そのほかのＬＥＤ３のグループを消灯することにより、図６（Ｂ）に示す調光状態よりも、より細かく照度が高い部分の位置を調整可能である。
【００４７】
以上、本発明の実施の形態について説明したが、本発明は上記の実施の形態等に限定されるものではない。
【００４８】
例えば、上記の実施の形態では、４つの照明器具１Ａ〜１Ｄを組み合わせた形態を説明したが、照明器具１Ａ〜１Ｄは、単独でも照明装置として使用可能である。
【００４９】
図８は、照明器具１つで構成される照明装置を示す概念図である。（Ａ）は、照明装置２Ｃの平面図であり、（Ｂ）は、一辺５ｍの正方形状の床面２００を有する部屋で、天井の角に配置された照明器具を点灯した場合の、照度分布１００を示す概念図である。照明器具１Ａの台座４１の上面は、上述したように、筐体５の対角線方向に向かって傾いている（図８（Ａ）参照）。１つの照明器具１Ａを照明装置２Ｃとして使用する場合、例えば、図８（Ｂ）に示すように、照明器具１Ａを部屋の天井の角に設置する。照明装置２Ｃは、部屋の隅から部屋中央側を照射することが可能である。
【００５０】
照明器具１Ａ〜１Ｄは、２以上の照明器具を組み合わせて１つの照明装置２Ｄとして使用することができる。
【００５１】
図９は、照明器具２つで構成される照明装置を示す概念図である。（Ａ）は、照明装置２Ｄの平面図であり、（Ｂ）は、短辺５ｍ、長辺１０ｍの長方形状の床面２００を有する部屋で、天井の壁際中央に配置された照明器具を点灯した場合の、照度分布１００を示す概念図である。図９（Ａ）に示すように、２つの照明器具１Ａを組み合わせることにより、２つの方向に配光特性を有する照明装置２Ｄを組み立てることが可能である。図９（Ｂ）に示すように、床面２００が長方形状である部屋の場合に、天井の壁際中央に照明装置２Ｄを設置すると、部屋中央側を照射することが可能である。このように、部屋の形状に合わせて照明器具１Ａ〜１Ｄを自由に配置することが可能である。図５、図８、図９に示す照度分布特性の照明装置２Ａ、２Ｃ、２Ｄを組み合わせることによって、広い空間を均一に照明することができる。また、照明装置２Ａ、２Ｃ、２Ｄそれぞれの配光を調節して、人の配置または作業場所に合わせて、効率よく適切に照明することができる。
【００５２】
本実施の形態では、ＬＥＤ３からの光を所定の方向に配光させる配光部材として、台座４１と、台座４１に固定されたルーバー４とを説明したが、本発明では、ＬＥＤ３からの光を照明器具１Ａ〜１Ｄの設置面に対して傾斜角を有する方向に配光させる部材であれば、これらに限られない。
【００５３】
図１０は、変形例に係る照明器具を示す断面図である。例えば、図１０（Ａ）に示すように、照明器具１Ａ、１Ｂがそれぞれレンズユニット４２を有してもよい。レンズユニット４２は、複数のレンズと開口を覆う透明カバーが一体化された部材であり、複数のレンズは、ＬＥＤ３からの光を所定の角度の方向に出射させるレンズである。レンズユニット４２に替えて、レンズそれぞれがＬＥＤ３それぞれに配置されてもよい。
【００５４】
また、図１０（Ｂ）に示すように、照明器具１Ａ、１Ｂにおいて、ＬＥＤ３それぞれが一つの配線基板３３に実装され、配線基板３３を支持する１つの台座４１の上面が傾斜面に形成されてもよい。配線基板３３の実装面が照明器具１Ａ〜１Ｄの設置面に対して傾斜すればよいので、例えば、台座４１の替わりに、配線基板３３と筐体５との間にスペーサー（中間片）が挟み込まれて、配線基板３３の実装面が傾斜してもよい。ＬＥＤ３は指向性の強い光源であるので、台座４１とともにルーバー４が採用されなくてもよい。
【００５５】
さらに、図１０（Ｃ）に示すように、配線基板３３が筐体５の底面に固定され、ルーバー４が筐体５底面に対して傾斜してもよい。ルーバー４は、台座４１以外の構造物に固定されてよく、例えば、筐体５に直接固定されてもよい。また、照明器具１Ａ、１Ｂは、傾斜配置の変更可能なルーバー４で構成されて、照明器具１Ａ〜１Ｄの配光が調整可能であってもよい。
【００５６】
照明器具１Ａ〜１Ｄは、ルーバー４に代えて、ＬＥＤ３からの光を所定の方向に反射するリフレクターが用いられてもよい。また、上記の、台座４１、ルーバー４、レンズユニット４２、リフレクター等の配光部材が複数組み合わされて、ＬＥＤ３からの光が所定の方向に出射されてもよい。
【００５７】
また、照明器具１Ａ〜１Ｄは、ＬＥＤ３の発する光を拡散するために、例えば、グローブ等のカバー部材でＬＥＤ３を覆ってもよい。
【００５８】
本実施の形態では、照明器具１Ａ〜１Ｄが筐体５の対角線方向に傾けた光を照射する形態を説明したが、照明器具１Ａ〜１Ｄの配光の方向は、筐体５の対角線方向に限られない。例えば、台座４１の上面が筐体５の辺に対して平行な方向に傾斜してもよい。この場合、照明器具１Ａ〜１Ｄは、筐体５の辺と平行な方向に傾けた光を照射する。例えば、この照明器具１Ａ〜１Ｄを、天井の壁際、横一列に並べて室内全体を照明することが可能である。
【００５９】
本実施の形態では、隣接する他の照明器具１Ａ〜１Ｄと筐体５の側面を面接触させた状態で連結する形態を説明したが、本発明の照明器具１Ａ〜１Ｄは、これに限られない。照明器具１Ａ〜１Ｄの筐体５は、互いに連結可能であればよい。例えば、筐体５は、互いに隣接するように連結可能であってもよく、筐体５は、他の照明器具１Ａ〜１Ｄの筐体５と側面方向へ、すなわち、ＬＥＤ３が配列する筐体５の正面に対して側方へ連結可能であってもよい。
【００６０】
また、筐体５の形状として、正面正方形状である形態を説明したが、本発明はこれに限られない。照明器具１Ａ〜１Ｄどうしの筐体５が連結可能であればよく、例えば、筐体５の正面の形状が正三角形、二等辺三角形、六角形、八角形等の多角形形状であってもよい。筐体５の正面の形状が多角形形状である場合、筐体５は、側面が隣接して連結可能であってもよく、例えば、その側面が面接触して連結可能であってもよい。面接触は、筐体５の側面の一部で生じていればよく、１つの側面全体で面接触するように配置される必要はない。例えば、筐体５が正面多角形状に形成されている場合に、他の照明器具１Ａ〜１Ｄの筐体５と隣り合う側面の一部で面接触すればよい。
【００６１】
本実施の形態では、照明器具１Ｂが制御部８および通信部９を備え、かつ照明器具１Ａ、１Ｃ、１Ｄが制御部８および通信部９を備えない形態を説明したが、照明装置２Ａ〜２Ｄ全体で、制御部８および通信部９を備えていればよく、照明器具１Ａ〜１Ｄそれぞれが制御部８および通信部９を備えていてもよい。また、照明器具１Ａ〜１Ｄそれぞれが制御部８および通信部９を備えず、別の筐体５に収容された制御部８および通信部９が照明器具１Ａ〜１Ｄに接続されてもよい。
【００６２】
本実施の形態では、照明器具１Ａ〜１Ｄの光源がＬＥＤ３である形態を説明したが、照明器具１Ａ〜１Ｄの光源は発光素子であればよく、ＬＥＤ３に限られない。例えば、本実施の形態のＬＥＤ３に替えて、半導体レーザーや有機ＥＬ（Organic Electroluminescence）等が適用されてもよい。
【００６３】
本実施の形態では、ＬＥＤ３のグループが複数の発光素子群から構成され、それらが独立して制御される形態を説明したが、各ＬＥＤ３のグループは１つのＬＥＤ３（例えば白色ＬＥＤ）で構成されてもよい。
【００６４】
本実施の形態では、ＬＥＤ３の発する光を調光する形態を説明したが、調光に加えて、調色可能であってもよい。
【００６５】
本実施の形態では、ＬＥＤ３が配線基板３３にマトリックス状に配列されている構成を説明したが、ＬＥＤ３の配列はマトリックス状に限られない。複数のＬＥＤ３がほぼ均一配列されていればよく、例えば、開口内に同心円状に配列されてもよいし、千鳥状に配列されてもよい。
【００６６】
上記の実施形態の一部又は全部は、以下の付記のようにも記載されうるが、以下には限られない。
【００６７】
（付記１）
互いに連結した状態で設置面に設置可能な照明器具であって、
互いに連結可能な筐体と、
前記筐体に配列された複数の発光素子と、
前記複数の発光素子それぞれの光を、前記設置面に対して傾斜角を有する方向に配光する配光部と、
前記複数の発光素子の点灯を制御する制御部と、
を備え、
前記複数の発光素子は、前記傾斜角の傾斜方向から順に配列した、少なくとも２以上の発光素子群を構成し、
前記制御部は、前記発光素子群それぞれを独立して点灯制御することを特徴とする照明器具。
【００６８】
（付記２）
前記配光部は、前記複数の発光素子が実装された配線基板を所定の方向に傾斜させて支持する支持部材であることを特徴とする付記１に記載の照明器具。
【００６９】
（付記３）
前記配光部は、前記複数の発光素子それぞれの周囲を囲む板状部材であることを特徴とする付記１または２に記載の照明器具。
【００７０】
（付記４）
前記筐体は、前記複数の発光素子を正面側に設け、正面略多角形状に形成されたことを特徴とする付記１ないし３のいずれかに記載の照明器具。
【００７１】
（付記５）
前記複数の発光素子は、格子状に配列されることを特徴とする付記１ないし４のいずれかに記載の照明器具。
【００７２】
（付記６）
前記照明器具が設置された室内の照度情報が入力される入力部を備え、
前記制御部は、前記入力部に入力された照度情報に基づいて、前記発光素子群を調光することを特徴とする付記１ないし５のいずれかに記載の照明器具。
【００７３】
（付記７）
付記１ないし６のいずれかに記載の照明器具を２以上含み、
前記筐体は、互いに連結したことを特徴とする照明装置。
【００７４】
（付記８）
前記筐体は、前記傾斜角の傾斜方向と反対の方向に隣接するように互いに連結し、
前記制御部は、前記発光素子群のうち、前記筐体が隣接する側に配列した発光素子群を点灯させ、その他の発光素子群を消灯させることを特徴とする付記７に記載の照明装置。
【符号の説明】
【００７５】
１Ａ、１Ｂ、１Ｃ、１Ｄ  照明器具
２Ａ、２Ｂ、２Ｃ、２Ｄ  照明装置
３    ＬＥＤ
４    ルーバー
５    筐体
７    ＬＥＤ制御電源
８    制御部
９    通信部
１０    照度計
１１    リモートコントローラ
３０、３１、３２    領域
３３    配線基板
３５    出射光
４１    台座
４２    レンズユニット
４５    矢印
５０    ＨＩＤランプ
１００    照度分布
１０１    領域
２００    床面
【図１】
2015060639.tif 000003
【図２】
2015060639.tif 000004
【図３】
2015060639.tif 000005
【図４】
2015060639.tif 000006
【図５】
2015060639.tif 000007
【図６】
2015060639.tif 000008
【図７】
2015060639.tif 000009
【図８】
2015060639.tif 000010
【図９】
2015060639.tif 000011
【図１０】
2015060639.tif 000012